(57)【要約】【課題】ハンドオーバ時において新たなＩＰアドレスが無線端末に割り当てられる場合であっても、新たなＩＰアドレスを無線端末が取得する前の段階で、ハンドオーバ先の無線基地局と無線端末との間の無線通信品質を測定可能とする。【解決手段】無線端末１００は、ＩＰアドレス取得部１５２が新たなＩＰアドレスを取得する前において、ＩＰ層よりも低位層のプロトコルを用いたＩＥＥＥ８０２．２１メッセージをハンドオーバ先基地局と送受信するメッセージ送受信部１３１と、メッセージ送受信部１３１が送受信するＩＥＥＥ８０２．２１メッセージを用いて、無線端末１００とハンドオーバ先基地局との間の無線通信路における伝送遅延またはジッタの少なくとも一方を含む無線通信品質を測定する品質測定部１３２とを備える。【選択図】図１
2010004385.tif 000002
【特許請求の範囲】
【請求項１】
接続先無線基地局を介して、ＩＰアドレスを用いた通信を通信相手装置と実行する通信処理部と、
前記接続先無線基地局を切り替えるハンドオーバの際に、ハンドオーバ先の無線基地局であるハンドオーバ先基地局を介した前記通信相手装置との通信に用いられる新たなＩＰアドレスを取得するＩＰアドレス取得部と
を有する無線端末であって、
前記ＩＰアドレス取得部が前記新たなＩＰアドレスを取得する前において、ＩＰ層よりも低位層のプロトコルを用いた低位層メッセージを前記ハンドオーバ先基地局と送受信するメッセージ送受信部と、
前記メッセージ送受信部が送受信する前記低位層メッセージを用いて、前記無線端末と前記ハンドオーバ先基地局との間の無線通信路における伝送遅延またはジッタの少なくとも一方を含む無線通信品質を測定する品質測定部と
を備える無線端末。
【請求項２】
前記低位層メッセージは、前記低位層メッセージが送信された時刻である送信時刻または前記低位層メッセージが受信された受信時刻の少なくとも一方の情報を含み、
前記品質測定部は、前記送信時刻と前記受信時刻との差分に基づいて前記無線通信品質を測定する請求項１に記載の無線端末。
【請求項３】
前記無線端末と前記通信相手装置との間の通信路全体における伝送遅延またはジッタの少なくとも一方を含む全体通信品質を判定する品質判定部をさらに備え、
前記メッセージ送受信部は、
前記ハンドオーバ先基地局と前記通信相手装置との間の通信路における伝送遅延またはジッタの少なくとも一方を含むネットワーク通信品質の測定を要求する前記低位層メッセージを前記ハンドオーバ先基地局に送信し、
前記ネットワーク通信品質の測定結果を通知する前記低位層メッセージを前記ハンドオーバ先基地局から受信し、
前記品質判定部は、前記品質測定部によって測定された前記無線通信品質と、前記ハンドオーバ先基地局から通知された前記ネットワーク通信品質とに基づいて、前記全体通信品質を判定する請求項１または２に記載の無線端末。
【請求項４】
前記メッセージ送受信部は、前記品質測定部によって測定された前記無線通信品質、または前記品質判定部によって判定された前記全体通信品質の少なくとも一方を通知する前記低位層メッセージを前記ハンドオーバ先基地局に送信する請求項３に記載の無線端末。
【請求項５】
前記ＩＰアドレス取得部が前記新たなＩＰアドレスを取得する前において、リンク層のプロトコルを用いて前記ハンドオーバ先基地局と無線リンクを設定するリンク設定部をさらに備え、
前記メッセージ送受信部は、前記リンク設定部による前記無線リンクの設定が完了すると、前記低位層メッセージの送受信を開始する請求項１〜４のいずれか１項に記載の無線端末。
【請求項６】
前記ＩＰアドレス取得部は、無線通信方式が異なる無線通信ネットワーク間で実行されるハンドオーバの際に前記新たなＩＰアドレスを取得する請求項１〜５のいずれか１項に記載の無線端末。
【請求項７】
前記メッセージ送受信部において前記低位層メッセージの送受信に用いられる前記低位層のプロトコルは、ＩＥＥＥ８０２．２１において規定されたものである請求項１〜６のいずれか１項に記載の無線端末。
【請求項８】
ＩＰアドレスを用いた通信を通信相手装置と実行するとともに接続先無線基地局を切り替えるハンドオーバ時において新たなＩＰアドレスを取得する無線端末のハンドオーバ先となる無線基地局であって、
前記無線端末が前記新たなＩＰアドレスを取得する前において、ＩＰ層よりも低位層のプロトコルを用いた低位層メッセージを前記無線端末と送受信するメッセージ送受信部と、
前記メッセージ送受信部が送受信する前記低位層メッセージを用いて、前記無線端末と前記無線基地局との間の無線通信路における伝送遅延またはジッタの少なくとも一方を含む無線通信品質を測定する品質測定部と
を備える無線基地局。
【請求項９】
前記低位層メッセージは、前記低位層メッセージが送信された時刻である送信時刻または前記低位層メッセージが受信された受信時刻の少なくとも一方の情報を含み、
前記品質測定部は、前記送信時刻と前記受信時刻との差分に基づいて前記無線通信品質を測定する請求項８に記載の無線基地局。
【請求項１０】
前記メッセージ送受信部は、前記品質判定部によって測定された前記無線通信品質を通知する前記低位層メッセージを前記無線端末または前記通信相手装置に送信する請求項８または９に記載の無線基地局。
【請求項１１】
前記メッセージ送受信部は、前記無線基地局と前記通信相手装置との間の通信路における伝送遅延またはジッタの少なくとも一方を含むネットワーク通信品質の測定を要求する前記低位層メッセージを前記無線端末から受信し、
前記品質測定部は、前記ネットワーク通信品質の測定を要求する前記低位層メッセージを前記メッセージ送受信部が前記無線端末から受信した場合、前記ネットワーク通信品質を測定し、
前記メッセージ送受信部は、前記品質測定部による前記ネットワーク通信品質の測定結果を通知する前記低位層メッセージを前記無線端末に送信する請求項８〜１０のいずれか１項に記載の無線基地局。
【請求項１２】
前記品質測定部は、前記低位層メッセージまたはＩＣＭＰパケットを用いて前記ネットワーク通信品質を測定する請求項１１に記載の無線基地局。
【請求項１３】
前記無線基地局と前記通信相手装置との間の通信路における伝送遅延またはジッタの少なくとも一方を含むネットワーク通信品質を予め記憶する品質記憶部をさらに備え、
前記メッセージ送受信部は、前記ネットワーク通信品質の送信を要求する前記低位層メッセージを前記無線端末から受信した場合、前記品質記憶部に予め記憶されている前記ネットワーク通信品質を通知する前記低位層メッセージを前記無線端末に送信する請求項８〜１０のいずれか１項に記載の無線基地局。
【請求項１４】
前記メッセージ送受信部において前記低位層メッセージの送受信に用いられる前記プロトコルは、ＩＥＥＥ８０２．２１において規定されたものである請求項８〜１３のいずれか１項に記載の無線基地局。
【請求項１５】
接続先無線基地局を介して、ＩＰアドレスを用いた通信を無線端末が通信相手装置と実行するステップと、
前記無線端末が前記接続先無線基地局を切り替えるハンドオーバの際に、ハンドオーバ先の無線基地局であるハンドオーバ先基地局を介した前記通信相手装置との通信に用いられる新たなＩＰアドレスを前記無線端末が取得するステップと
を有する無線通信方法であって、
前記無線端末が前記新たなＩＰアドレスを取得する前において、ＩＰ層よりも低位層のプロトコルを用いた低位層メッセージを前記無線端末と前記ハンドオーバ先基地局との間で送受信するステップと、
前記送受信するステップにおいて送受信される前記低位層メッセージを用いて、前記無線端末と前記ハンドオーバ先基地局との間の無線通信路における伝送遅延またはジッタの少なくとも一方を含む無線通信品質を測定するステップと
を備える無線通信方法。
【発明の詳細な説明】
【技術分野】
【０００１】
本発明は、伝送遅延またはジッタなどを測定可能な無線端末、無線基地局および無線通信方法に関する。
【背景技術】
【０００２】
従来、通信システムにおいては、通信装置間の通信路の品質（以下、「通信品質」）を測定するために、ＩＰ(Internet Protocol)パケットを用いた通信品質測定技術が広く用いられている。ここで、通信品質には、伝送遅延またはジッタなどが含まれる。伝送遅延とは、パケットの送信時刻と受信時刻との差分に相当する時間であり、ジッタとは当該伝送遅延のばらつき（揺らぎ）の大きさを表す値である。
【０００３】
例えば、ＩＰパケットに付加されたタイムスタンプによって伝送遅延またはジッタなどが測定される。このような通信品質測定技術により、通信装置は、通信品質を測定し、通信品質に適応した通信制御（以下、「適応通信制御」）を行う。このような適応通信制御の例としては、ジッタを吸収する受信バッファ（いわゆる、ジッタバッファ）のサイズを適応的に制御する適応ジッタバッファ制御がある。
【０００４】
また、近年では、無線通信技術の発達に伴い、携帯電話端末などの無線端末が、無線通信の方式などが異なる複数の無線通信ネットワークに接続可能となってきている。無線通信ネットワーク間で無線端末が接続先無線基地局を切り替えるハンドオーバを実行する場合、無線端末は、ハンドオーバの際に新たなＩＰアドレス（例えば、気付アドレス）を取得する（特許文献１参照）。
【特許文献１】特開２００７−３１１９５２号公報
【発明の開示】
【発明が解決しようとする課題】
【０００５】
ところで、ＩＰパケットのヘッダには、通常、送信元ＩＰアドレスおよび宛先ＩＰアドレスが含まれる。このため、ＩＰパケットを送受信するためには、送信側の通信装置および受信側の通信装置のそれぞれがＩＰアドレスを取得している必要がある。
【０００６】
従来の通信品質測定技術ではＩＰパケットを用いて通信品質を測定しており、ハンドオーバ時において新たなＩＰアドレスが無線端末に割り当てられる場合、次のような問題が生じる。
【０００７】
具体的には、無線端末は、新たなＩＰアドレスを取得するまで、ハンドオーバ先の無線通信ネットワーク（無線基地局）を介してＩＰパケットを通信相手装置と送受信できず、ハンドオーバ先の無線基地局を介した無線端末と通信相手装置との間の通信品質が測定できない。このため、無線端末が新たなＩＰアドレスを取得するまで、上述した適応通信制御を開始できない問題があった。
【０００８】
特に、無線端末と通信相手装置との間の通信路においては、無線端末と無線基地局との間の無線通信路における伝送遅延やジッタが伝送品質にとって支配的であり、当該無線通信路における伝送遅延やジッタなどの通信品質（以下、「無線通信品質」）を測定可能とすることが望まれる。
【０００９】
そこで、本発明は、上述した課題を解決するためになされたものであり、ハンドオーバ時において新たなＩＰアドレスが無線端末に割り当てられる場合であっても、新たなＩＰアドレスを無線端末が取得する前の段階で、ハンドオーバ先の無線基地局と無線端末との間の無線通信品質を測定可能な無線端末、無線基地局および無線通信方法を提供することを目的とする。
【課題を解決するための手段】
【００１０】
上述した課題を解決するために、本発明は以下のような特徴を有している。まず、本発明の無線端末の第１の特徴は、接続先無線基地局（無線基地局ＰｏＡ１）を介して、ＩＰアドレスを用いた通信を通信相手装置（通信相手装置ＣＮ）と実行する通信処理部（高位エンティティ１５５）と、前記接続先無線基地局を切り替えるハンドオーバの際に、ハンドオーバ先の無線基地局であるハンドオーバ先基地局（無線基地局ＰｏＡ２）を介した前記通信相手装置との通信に用いられる新たなＩＰアドレスを取得するＩＰアドレス取得部（ＩＰアドレス取得部１５２）とを有する無線端末（無線端末１００）であって、前記ＩＰアドレス取得部が前記新たなＩＰアドレスを取得する前において、ＩＰ層よりも低位層のプロトコルを用いた低位層メッセージ（例えば、ＩＥＥＥ８０２．２１メッセージ）を前記ハンドオーバ先基地局と送受信するメッセージ送受信部（メッセージ送受信部１３１）と、前記メッセージ送受信部が送受信する前記低位層メッセージを用いて、前記無線端末と前記ハンドオーバ先基地局との間の無線通信路（無線通信路Ｐ１）における伝送遅延またはジッタの少なくとも一方を含む無線通信品質を測定する品質測定部（品質測定部１３２）とを備えることを要旨とする。
【００１１】
このような無線端末によれば、メッセージ送受信部は、ＩＰアドレス取得部が新たなＩＰアドレスを取得する前において、ＩＰ層よりも低位層のプロトコルを用いた低位層メッセージをハンドオーバ先基地局と送受信する。そして、品質測定部は、メッセージ送受信部が送受信する低位層メッセージを用いて無線通信品質を測定する。
【００１２】
したがって、ハンドオーバ時において新たなＩＰアドレスが無線端末に割り当てられる場合であっても、新たなＩＰアドレスを取得する前の段階で、ハンドオーバ先基地局と無線端末との間の無線通信品質を測定可能な無線端末を提供できる。
【００１３】
本発明の無線端末の第２の特徴は、本発明の無線端末の第１の特徴に係り、前記低位層メッセージは、前記低位層メッセージが送信された時刻である送信時刻または前記低位層メッセージが受信された受信時刻の少なくとも一方の情報を含み、前記品質測定部は、前記送信時刻と前記受信時刻との差分に基づいて前記無線通信品質を測定することを要旨とする。
【００１４】
本発明の無線端末の第３の特徴は、本発明の無線端末の第１または第２の特徴に係り、前記無線端末と前記通信相手装置との間の通信路全体における伝送遅延またはジッタの少なくとも一方を含む全体通信品質を判定する品質判定部（品質測定部１３２）をさらに備え、前記メッセージ送受信部は、前記ハンドオーバ先基地局と前記通信相手装置との間の通信路（有線通信路Ｐ２）における伝送遅延またはジッタの少なくとも一方を含むネットワーク側通信品質の測定を要求する前記低位層メッセージを前記ハンドオーバ先基地局に送信し、前記ネットワーク通信品質の測定結果を通知する前記低位層メッセージを前記ハンドオーバ先基地局から受信し、前記品質判定部は、前記品質測定部によって測定された前記無線通信品質と、前記ハンドオーバ先基地局から通知された前記ネットワーク通信品質とに基づいて、前記全体通信品質を判定することを要旨とする。
【００１５】
本発明の無線端末の第４の特徴は、本発明の無線端末の第３の特徴に係り、前記メッセージ送受信部は、前記品質測定部によって測定された前記無線通信品質、または前記品質判定部によって判定された前記全体通信品質の少なくとも一方を通知する前記低位層メッセージを前記ハンドオーバ先基地局に送信することを要旨とする。
【００１６】
本発明の無線端末の第５の特徴は、本発明の無線端末の第１〜第４のいずれか１つの特徴に係り、前記ＩＰアドレス取得部が前記新たなＩＰアドレスを取得する前において、リンク層のプロトコルを用いて前記ハンドオーバ先基地局と無線リンクを設定するリンク設定部（ＷｉＭＡＸリンク制御部１１６）をさらに備え、前記メッセージ送受信部は、前記リンク設定部による前記無線リンクの設定が完了すると、前記低位層メッセージの送受信を開始することを要旨とする。
【００１７】
本発明の無線端末の第６の特徴は、本発明の無線端末の第１〜第５のいずれか１つの特徴に係り、前記ＩＰアドレス取得部は、無線通信方式が異なる無線通信ネットワーク（ＥＶ−ＤＯネットワーク１、ＷｉＭＡＸネットワーク２）間で実行されるハンドオーバの際に前記新たなＩＰアドレスを取得することを要旨とする。
【００１８】
本発明の無線端末の第７の特徴は、本発明の無線端末の第１〜第６のいずれか１つの特徴に係り、前記メッセージ送受信部において前記低位層メッセージの送受信に用いられる前記低位層のプロトコルは、ＩＥＥＥ８０２．２１において規定されたものであることを要旨とする。
【００１９】
本発明の無線基地局の第１の特徴は、ＩＰアドレスを用いた通信を通信相手装置（通信相手装置ＣＮ）と実行するとともに接続先無線基地局（無線基地局ＰｏＡ１）を切り替えるハンドオーバ時において新たなＩＰアドレスを取得する無線端末（無線端末１００）のハンドオーバ先となる無線基地局（無線基地局ＰｏＡ２）であって、前記無線端末が前記新たなＩＰアドレスを取得する前において、ＩＰ層よりも低位層のプロトコルを用いた低位層メッセージ（例えば、ＩＥＥＥ８０２．２１メッセージ）を前記無線端末と送受信するメッセージ送受信部（メッセージ送受信部２３１）と、前記メッセージ送受信部が送受信する前記低位層メッセージを用いて、前記無線端末と前記無線基地局との間の無線通信路（無線通信路Ｐ１）における伝送遅延またはジッタの少なくとも一方を含む無線通信品質を測定する品質測定部（品質測定部２３２）とを備えることを要旨とする。
【００２０】
このような無線基地局によれば、メッセージ送受信部は、無線端末が新たなＩＰアドレスを取得する前において、ＩＰ層よりも低位層のプロトコルを用いた低位層メッセージを無線端末と送受信する。そして、品質測定部は、メッセージ送受信部が送受信する低位層メッセージを用いて無線通信品質を測定する。
【００２１】
したがって、ハンドオーバ時において新たなＩＰアドレスが無線端末に割り当てられる場合であっても、無線端末が新たなＩＰアドレスを取得する前の段階で無線通信品質を測定可能な無線基地局を提供できる。
【００２２】
本発明の無線基地局の第２の特徴は、本発明の無線基地局の第１の特徴に係り、前記低位層メッセージは、前記低位層メッセージが送信された時刻である送信時刻または前記低位層メッセージが受信された受信時刻の少なくとも一方の情報を含み、前記品質測定部は、前記送信時刻と前記受信時刻との差分に基づいて前記無線通信品質を測定することを要旨とする。
【００２３】
本発明の無線基地局の第３の特徴は、本発明の無線基地局の第１または第２の特徴に係り、前記メッセージ送受信部は、前記品質判定部によって測定された前記無線通信品質を通知する前記低位層メッセージを前記無線端末または前記通信相手装置に送信することを要旨とする。
【００２４】
本発明の無線基地局の第４の特徴は、本発明の無線基地局の第１〜第３のいずれか１つの特徴に係り、前記メッセージ送受信部は、前記無線基地局と前記通信相手装置との間の通信路（有線通信路Ｐ２）における伝送遅延またはジッタの少なくとも一方を含むネットワーク通信品質の測定を要求する前記低位層メッセージを前記無線端末から受信し、前記品質測定部は、前記ネットワーク通信品質の測定を要求する前記低位層メッセージを前記メッセージ送受信部が前記無線端末から受信した場合、前記ネットワーク通信品質を測定し、前記メッセージ送受信部は、前記品質測定部による前記ネットワーク通信品質の測定結果を通知する前記低位層メッセージを前記無線端末に送信することを要旨とする。
【００２５】
本発明の無線基地局の第５の特徴は、本発明の無線基地局の第４の特徴に係り、前記品質測定部は、前記低位層メッセージまたはＩＣＭＰパケットを用いて前記ネットワーク通信品質を測定することを要旨とする。
【００２６】
本発明の無線基地局の第６の特徴は、本発明の無線基地局の第１〜第３のいずれか１つの特徴に係り、前記無線基地局と前記通信相手装置との間の通信路（有線通信路Ｐ２）における伝送遅延またはジッタの少なくとも一方を含むネットワーク通信品質を予め記憶する品質記憶部（記憶部２６０）をさらに備え、前記メッセージ送受信部は、前記ネットワーク通信品質の送信を要求する前記低位層メッセージを前記無線端末から受信した場合、前記品質記憶部に予め記憶されている前記ネットワーク通信品質を通知する前記低位層メッセージを前記無線端末に送信することを要旨とする。
【００２７】
本発明の無線基地局の第７の特徴は、本発明の無線基地局の第１〜第６のいずれか１つの特徴に係り、前記メッセージ送受信部において前記低位層メッセージの送受信に用いられる前記プロトコルは、ＩＥＥＥ８０２．２１において規定されたものであることを要旨とする。
【００２８】
本発明の無線通信方法の特徴は、接続先無線基地局を介して、ＩＰアドレスを用いた通信を無線端末が通信相手装置と実行するステップと、前記無線端末が前記接続先無線基地局を切り替えるハンドオーバの際に、ハンドオーバ先の無線基地局であるハンドオーバ先基地局を介した前記通信相手装置との通信に用いられる新たなＩＰアドレスを前記無線端末が取得するステップとを有する無線通信方法であって、前記無線端末が前記新たなＩＰアドレスを取得する前において、ＩＰ層よりも低位層のプロトコルを用いた低位層メッセージを前記無線端末と前記ハンドオーバ先基地局との間で送受信するステップと、前記送受信するステップにおいて送受信される前記低位層メッセージを用いて、前記無線端末と前記ハンドオーバ先基地局との間の無線通信路における伝送遅延またはジッタの少なくとも一方を含む無線通信品質を測定するステップとを備えることを要旨とする。
【発明の効果】
【００２９】
本発明によれば、ハンドオーバ時において新たなＩＰアドレスが無線端末に割り当てられる場合であっても、新たなＩＰアドレスを無線端末が取得する前の段階で、ハンドオーバ先の無線基地局と無線端末との間の無線通信品質を測定可能な無線端末、無線基地局および無線通信方法を提供できる。
【発明を実施するための最良の形態】
【００３０】
次に、図面を参照して、本発明の第１実施形態〜第３実施形態を説明する。以下の第１実施形態〜第３実施形態における図面の記載において、同一又は類似の部分には同一又は類似の符号を付している。
【００３１】
[第１実施形態]
第１実施形態においては、（１）通信システムの概略構成、（２）通信システムの詳細構成、（３）通信システムの詳細動作、（４）メッセージの詳細、（５）作用・効果について説明する。
【００３２】
（１）通信システムの概略構成
まず、（１．１）通信システムの全体構成、（１．２）無線端末、無線基地局および通信相手装置の概略構成について説明する。
【００３３】
（１．１）通信システムの全体構成
図１は、第１実施形態に係る通信システム１０の全体構成図である。
【００３４】
図１に示す無線端末１００は、無線通信方式（物理レイヤやリンク層の構成）が異なる複数の無線通信ネットワークに接続可能な構成を有する。無線端末１００は、移動可能な端末（Mobile NodeまたはMobile Router）である。第１実施形態において無線端末１００は、ＥＶ−ＤＯネットワーク１またはＷｉＭＡＸネットワーク２のいずれかに接続して無線通信を実行することができる。
【００３５】
ＥＶ−ＤＯネットワーク１は、ＣＤＭＡ方式を利用した第３世代携帯電話ネットワーク、具体的には、ＩＰパケット通信を実行するcdma2000 1x-EVDO（以下、「ＥＶ−ＤＯ」）に準拠した無線通信ネットワークである。
【００３６】
ＥＶ−ＤＯネットワーク１には、無線端末１００と無線通信を実行する無線基地局ＰｏＡ１と、ＥＶ−ＤＯネットワーク１の入り口および出口となるゲートウェイ５１とが含まれる。無線基地局ＰｏＡ１は、ＥＶ−ＤＯに従った基地局(Point of Access)である。無線端末１００は、無線基地局ＰｏＡ１と無線リンクＬ１を設定し、無線リンクＬ１を介して無線通信を実行することができる。
【００３７】
ＷｉＭＡＸネットワーク２は、ＩＥＥＥ８０２．１６ｅに従った無線ＭＡＮ（Metropolitan. Area Network）、すなわちＷｉＭＡＸを採用する無線通信ネットワークである。ＷｉＭＡＸネットワーク２は、ＥＶ−ＤＯと同様にＩＰパケット通信を実行可能であり、ＥＶ−ＤＯよりも高速な通信が提供される。
【００３８】
ＷｉＭＡＸネットワーク２には、無線端末１００と無線通信を実行する無線基地局ＰｏＡ２と、ＷｉＭＡＸネットワーク２の入り口および出口となるゲートウェイ５２とが含まれる。無線基地局ＰｏＡ２は、ＷｉＭＡＸに従った基地局(Point of Access)である。無線端末１００は、無線基地局ＰｏＡ２と無線リンクＬ２を設定し、無線リンクＬ２を介して無線通信を実行することができる。
【００３９】
図１の例では、無線端末１００は、ＥＶ−ＤＯネットワーク１からＷｉＭＡＸネットワーク２へのハンドオーバを実行する。このようなネットワーク間でのハンドオーバをＩＰパケット通信が切断されることなく継続可能とするために、通信システム１０には、モバイルＩＰ（RFC3775など）や、NEMO Basic Support（RFC3963）が採用されている。本実施形態では、モバイルＩＰを採用した通信システム１０について説明する。
【００４０】
ＥＶ−ＤＯネットワーク１およびＷｉＭＡＸネットワーク２は、インターネット３に接続されている。インターネット３には、通信相手装置ＣＮ、ホームエージェントＨＡおよびＮＴＰサーバ５３が接続されている。本実施形態では、通信相手装置ＣＮは、無線端末１００の通信相手であり、Voice over IP（VoIP）を用いた端末(Corresponding Node)である。通信相手装置ＣＮは、インターネット３を介して、ＩＰパケットを送受信する。
【００４１】
ホームエージェントＨＡは、モバイルＩＰに準拠したホームエージェントであり、無線端末１００の固定ＩＰアドレスであるホームアドレス（ＨｏＡ）と、無線端末１００の一時的なＩＰアドレスである気付アドレス（ＣｏＡ）とを対応付けて記憶する。
【００４２】
具体的には、ハンドオーバ時において無線端末１００にＣｏＡが割り当てられると、無線端末１００は、ＨｏＡとＣｏＡとの組をホームエージェントＨＡに登録する。ホームエージェントＨＡは、無線端末１００のＨｏＡ宛のＩＰパケットを通信相手装置ＣＮから受信すると、ＨｏＡをＣｏＡに変換し、ＩＰトンネリング技術を用いて当該ＩＰパケットを無線端末１００に中継する。
【００４３】
ＮＴＰサーバ５３は、通信相手装置ＣＮ、ホームエージェントＨＡ、無線基地局ＰｏＡ１および無線基地局ＰｏＡ２に定期的に時刻情報を通知し、これらの機器を時間同期させる。無線端末１００は、内蔵のＧＰＳで時間を合わせているものとする。
【００４４】
第１実施形態では、無線端末１００は、ＷｉＭＡＸネットワーク２またはＥＶ−ＤＯネットワーク１の何れか一方を用いて通信相手装置ＣＮとＩＰパケットを送受信する。本実施形態では、説明の便宜上、無線端末１００がＥＶ−ＤＯネットワーク１について所望のＲＳＳＩまたはＳＮＲなどを確保できず、ＥＶ−ＤＯネットワーク１からＷｉＭＡＸネットワーク２へのハンドオーバを実行するものとする。
【００４５】
無線端末１００は、ＥＶ−ＤＯネットワーク１からＷｉＭＡＸネットワーク２へのハンドオーバの際、ＷｉＭＡＸネットワーク２の無線基地局ＰｏＡ２と無線リンクＬ２を確立し、ＥＶ−ＤＯネットワーク１の無線基地局ＰｏＡ１との無線リンクＬ１を切断することによって、リンク層（レイヤ２）レベルのハンドオーバ（以下、リンク層ハンドオーバ）を実行する。
【００４６】
リンク層ハンドオーバが完了すると、無線端末１００は、ＷｉＭＡＸネットワーク２から割り当てられたＣｏＡを取得するとともに、ＨｏＡおよびＣｏＡをホームエージェントＨＡに登録することによって、ＩＰ層（レイヤ３）レベルのハンドオーバ（以下、ＩＰ層ハンドオーバ）を実行する。
【００４７】
無線端末１００がＷｉＭＡＸネットワーク２の無線基地局ＰｏＡ２と無線リンクＬ２を確立すると、無線端末１００および無線基地局ＰｏＡ２は、無線端末１００と無線基地局ＰｏＡ２との間の無線通信路Ｐ１の無線通信品質を測定する（図２参照）。
【００４８】
また、無線端末１００がＷｉＭＡＸネットワーク２の無線基地局ＰｏＡ２と無線リンクＬ２を確立すると、無線基地局ＰｏＡ２および通信相手装置ＣＮは、無線基地局ＰｏＡ２と通信相手装置ＣＮとの間の有線通信路Ｐ２の通信品質（以下、ネットワーク通信品質）を、無線端末１００から無線基地局ＰｏＡ２に通信相手装置ＣＮのＩＰアドレスを通知することで、測定する（図２参照）。ただし、ネットワーク通信品質は、無線基地局ＰｏＡ２とホームエージェントＨＡとの間の通信品質としてもよい。
【００４９】
なお、通信品質には、遅延またはジッタの少なくとも一方が含まれるが、本実施形態では、無線端末１００、無線基地局ＰｏＡ２および通信相手装置ＣＮは、遅延およびジッタの両方を測定するものとする。
【００５０】
（１．２）無線端末、無線基地局および通信相手装置の概略構成
図２は、無線端末１００、無線基地局ＰｏＡ２および通信相手装置ＣＮのそれぞれの概略構成図である。なお、図２は、無線端末１００、無線基地局ＰｏＡ２および通信相手装置ＣＮのプロトコルスタック図も兼ねている。図２に示すように、無線端末１００、無線基地局ＰｏＡ２および通信相手装置ＣＮは、ＩＥＥＥ８０２．２１に準拠したプロトコルスタック構成を有する。
【００５１】
無線端末１００は、物理層およびリンク層のプロトコルからなる低位レイヤ１０１と、ＭＩＨＦ（Media Independent Handover Function）１３０と、ＩＰ層以上のプロトコルからなる高位レイヤ１５０とを有する。高位レイヤ１５０は、モバイルＩＰなどのＩＰモビリティプロトコルなどによって構成されるＭＩＨＦユーザ１５１を含む。ＭＩＨＦ１３０は、ＩＰ層よりも低位層のプロトコル（エンティティ）であり、リンク層のプロトコルとＩＰモビリティプロトコルとのインタフェースとして機能する。
【００５２】
ＭＩＨＦ１３０は、ＷｉＭＡＸネットワーク２およびＥＶ−ＤＯネットワーク１の物理層の構成に依存しないメディア非依存ハンドオーバを実現する。例えば、ＭＩＨＦ１３０は、ＭＩＨＦユーザ１５１からの指示に基づいて、無線リンクＬ１から無線リンクＬ２へのハンドオーバ（リンク層ハンドオーバ）を実行する。一方、ＭＩＨＦユーザ１５１は、上述したＩＰ層ハンドオーバを実行する。
【００５３】
無線基地局ＰｏＡ２および通信相手装置ＣＮのそれぞれのプロトコルスタックも無線端末１００と同様に構成されている。すなわち、無線基地局ＰｏＡ２はＭＩＨＦ２３０およびＭＩＨユーザ２５１を有し、通信相手装置ＣＮはＭＩＨＦ３３０およびＭＩＨユーザ３５１を有する。
【００５４】
無線端末１００のＭＩＨＦ１３０および無線基地局ＰｏＡ２のＭＩＨＦ２３０は、ＩＥＥＥ８０２．２１に基づく低位層メッセージ（以下、適宜「ＩＥＥＥ８０２．２１メッセージ」と称する）を用いて無線通信品質を測定する。具体的には、無線端末１００のＭＩＨＦ１３０と無線基地局ＰｏＡ２のＭＩＨＦ２３０との間で送受信されるＩＥＥＥ８０２．２１メッセージは、ＩＥＥＥ８０２．２１メッセージの送信時刻のタイムスタンプ、またはＩＥＥＥ８０２．２１メッセージの受信時刻のタイムスタンプの少なくとも一方を含む。そして、無線端末１００のＭＩＨＦ１３０および無線基地局ＰｏＡ２のＭＩＨＦ２３０は、送信時刻と受信時刻との差分に基づいて無線通信品質を測定する。
【００５５】
ただし、無線端末１００のＭＩＨＦ１３０および無線基地局ＰｏＡ２のＭＩＨＦ２３０の両方が無線通信品質を測定する場合に限らず、無線端末１００のＭＩＨＦ１３０または無線基地局ＰｏＡ２のＭＩＨＦ２３０のいずれか一方のみが無線通信品質を測定し、測定結果を他方に通知する構成でもよい。
【００５６】
無線端末１００のＭＩＨＦ１３０は、無線基地局ＰｏＡ２のＭＩＨＦ２３０との間で、ＩＥＥＥ８０２．２１メッセージを使って無線通信品質を測定する。無線通信品質の測定結果は、無線端末１００のＭＩＨＦ１３０で管理してもよく、無線基地局ＰｏＡ２と無線端末１００で共有してもよい。
【００５７】
また、無線基地局ＰｏＡ２のＭＩＨＦ２３０および通信相手装置ＣＮのＭＩＨＦ３３０は、ＩＥＥＥ８０２．２１メッセージを用いてネットワーク通信品質を測定する。無線基地局ＰｏＡ２のＭＩＨＦ２３０は、無線端末１００のＭＩＨＦ１３０から要求を受け、その要求に含まれるＩＰアドレスまたはＭＩＨＦ ＩＤから通信相手装置ＣＮ（ＭＩＨＦ３３０）を特定して、ネットワーク通信品質を測定する。
【００５８】
具体的には、無線基地局ＰｏＡ２のＭＩＨＦ２３０と通信相手装置ＣＮのＭＩＨＦ３３０との間で送受信されるＩＥＥＥ８０２．２１メッセージは、ＩＥＥＥ８０２．２１メッセージの送信時刻のタイムスタンプ、またはＩＥＥＥ８０２．２１メッセージの受信時刻のタイムスタンプの少なくとも一方を含む。そして、無線基地局ＰｏＡ２のＭＩＨＦ２３０と通信相手装置ＣＮのＭＩＨＦ３３０は、送信時刻と受信時刻との差分に基づいてネットワーク通信品質を測定する。
【００５９】
ただし、無線基地局ＰｏＡ２のＭＩＨＦ２３０と通信相手装置ＣＮのＭＩＨＦ３３０の両方がネットワーク通信品質を測定する場合に限らず、無線基地局ＰｏＡ２のＭＩＨＦ２３０または通信相手装置ＣＮのＭＩＨＦ３３０のいずれか一方のみがネットワーク通信品質を測定し、測定結果を他方に通知する構成でもよい。
【００６０】
さらに、無線基地局ＰｏＡ２のＭＩＨＦ２３０は、ネットワーク通信品質を無線端末１００に通知する。無線端末１００のＭＩＨＦ１３０は、無線基地局ＰｏＡ２のＭＩＨＦ２３０からネットワーク通信品質が通知されると、通知されたネットワーク通信品質と、測定した無線通信品質とに基づいて、無線端末１００と通信相手装置ＣＮとの間の通信路全体の通信品質（以下、「全体通信品質」）を判定する。無線端末１００のＭＩＨＦ１３０は、判定した全体通信品質を通信相手装置ＣＮのＭＩＨＦ３３０に通知してもよい。
【００６１】
（２）通信システムの詳細構成
次に、通信システム１０の詳細構成、具体的には、（２．１）無線端末の構成および（２．２）無線基地局の構成について説明する。なお、以下においては、本発明に関連する構成を主に説明する。
【００６２】
（２．１）無線端末の構成
図３は、無線端末１００の詳細構成を示すブロック図である。図３に示すように、無線端末１００は、少なくとも物理層の方式が異なるＥＶ−ＤＯネットワーク１およびＷｉＭＡＸネットワーク２に接続して無線通信を実行するため、異なる２つの無線通信部、具体的には、ＥＶ−ＤＯ無線通信部１１１およびＷｉＭＡＸ無線通信部１１２を備える。
【００６３】
ＥＶ−ＤＯ無線通信部１１１およびＷｉＭＡＸ無線通信部１１２のそれぞれは、ＬＮＡ(Low Noise Amplifier)、パワーアンプ、アップコンバータおよびダウンコンバータなどを含み、無線信号の送受信を行う。
【００６４】
無線端末１００は、制御部１１０、記憶部１６０、スピーカ１７１、マイクロフォン１７２、表示部１７３、および操作部１７４をさらに含む。
【００６５】
制御部１１０は、例えばＣＰＵによって構成され、無線端末１００が具備する各種機能を制御する。記憶部１６０は、例えばメモリによって構成され、無線端末１００における制御などに用いられる各種情報を記憶する。
【００６６】
マイクロフォン１７２は、音声を集音し、集音された音声に基づく音声データを音声コーデック（不図示）経由で制御部１１０に入力する。スピーカ１７１は、音声コーデック（不図示）経由で制御部１１０から取得した音声データに基づいて音声を出力する。
【００６７】
表示部１７３は、制御部１１０を介して受信した画像を表示したり、操作内容（入力電話番号やアドレスなど）を表示したりする。操作部１７４は、テンキーやファンクションキーなどによって構成され、ユーザの操作内容を入力するために用いられる。
【００６８】
制御部１１０は、ＥＶ−ＤＯリンク制御部１１５、ＷｉＭＡＸリンク制御部１１６、ＭＩＨＦ１３０、ＭＩＨＦユーザ１５１および高位エンティティ１５５を含む。
【００６９】
ＥＶ−ＤＯリンク制御部１１５は、ＭＩＨＦ１３０からの指示に応じて、リンク層における無線リンクＬ１をＥＶ−ＤＯネットワーク１の無線基地局ＰｏＡ１と設定する。また、ＥＶ−ＤＯリンク制御部１１５は、ＥＶ−ＤＯネットワーク１の無線基地局ＰｏＡ１から受信する無線信号に基づき、無線リンクＬ１における各種の無線パラメータ（ＲＳＳＩやＳＮＲなど）を監視する。
【００７０】
ＷｉＭＡＸリンク制御部１１６は、ＭＩＨＦ１３０からの指示に応じて、リンク層における無線リンクＬ２をＷｉＭＡＸネットワーク２の無線基地局ＰｏＡ２と設定する。また、ＷｉＭＡＸリンク制御部１１６は、ＷｉＭＡＸネットワーク２の無線基地局ＰｏＡ２から受信する無線信号に基づき、無線リンクＬ２における各種の無線パラメータ（ＲＳＳＩやＳＮＲなど）を監視する。
【００７１】
ＭＩＨＦ１３０は、上述したように、リンク層の高位層に位置付けられるプロトコルである。ＭＩＨＦ１３０は、無線基地局ＰｏＡ２のＭＩＨＦ２３０との間でＩＥＥＥ８０２．２１メッセージを送受信するメッセージ送受信部１３１と、メッセージ送受信部１３１が送受信するＩＥＥＥ８０２．２１メッセージを用いて無線通信品質を測定する品質測定部１３２とを有する。また、品質測定部１３２は、無線基地局ＰｏＡ２のＭＩＨＦ２３０から通知されるネットワーク通信品質と、測定した無線通信品質とに基づいて、全体通信品質を判定する品質判定部としても機能する。
【００７２】
ＭＩＨＦユーザ１５１は、ＭＩＨＦ１３０の高位層に位置付けられる。本実施形態では、ＭＩＨＦユーザ１５１は、モバイルＩＰなどによって構成される。具体的には、ＭＩＨＦユーザ１５１は、ハンドオーバの際に、無線基地局ＰｏＡ２を介した通信相手装置ＣＮとの通信に用いられる新たなＩＰアドレス（すなわち、ＣｏＡ）を取得するＩＰアドレス取得部１５２を有する。
【００７３】
高位エンティティ１５５は、ＭＩＨＦユーザ１５１の高位層に位置付けられる。本実施形態では、高位エンティティ１５５は、ＶｏＩＰアプリケーション１５３を有する。ＶｏＩＰアプリケーション１５３は、品質測定部１３２によって測定された無線通信品質または全体通信品質に基づいて、記憶部１６０に設けられたジッタバッファを制御する適応ジッタバッファ制御を実行する。ジッタバッファは、ジッタを吸収するためのものであり、ＶｏＩＰアプリケーション１５３は、実際のジッタに応じてジッタバッファのサイズを調整する。
【００７４】
（２．２）無線基地局の構成
図４は、無線基地局ＰｏＡ２の詳細構成を示すブロック図である。図４に示すように、無線基地局ＰｏＡ２は、無線通信部２１１、制御部２１０、記憶部２６０および有線通信Ｉ／Ｆ部２７０を有する。
【００７５】
無線通信部２１１は、ＷｉＭＡＸに従った無線通信を無線端末１００と実行する。制御部２１０は、例えばＣＰＵによって構成され、無線基地局ＰｏＡ２が具備する各種機能を制御する。記憶部２６０は、例えばメモリによって構成され、無線基地局ＰｏＡ２における制御などに用いられる各種情報を記憶する。有線通信Ｉ／Ｆ部２７０は、バックボーンネットワークを介してゲートウェイ５２に接続される。
【００７６】
制御部２１０は、リンク制御部２１５、ＭＩＨＦ２３０およびＭＩＨユーザ２５１を有する。ＭＩＨＦ２３０は、メッセージ送受信部２３１および品質測定部２３２を含む。メッセージ送受信部２３１は、ＩＥＥＥ８０２．２１メッセージを無線端末１００のＭＩＨＦ１３０および通信相手装置ＣＮのＭＩＨＦ３３０と送受信する。品質測定部２３２は、メッセージ送受信部２３１が送受信するＩＥＥＥ８０２．２１メッセージを用いて、無線通信品質およびネットワーク通信品質を測定する。
【００７７】
（３）通信システムの詳細動作
次に、通信システム１０の詳細動作について説明する。図５は、通信システム１０の詳細動作例を示すシーケンス図である。ここではリンク層ハンドオーバの前半の動作について説明し、リンク層ハンドオーバ後に実行されるＩＰ層ハンドオーバなどの動作は説明を省略する。
【００７８】
無線端末１００は無線リンクＬ１を設定しており、ステップＳ１０１〜ステップＳ１１０において、ＷｉＭＡＸネットワーク２へのハンドオーバを決定し、ハンドオーバの準備として、ＷｉＭＡＸリンク制御部１１６に無線リンクＬ２の設定（Link up）を指示する。
【００７９】
具体的には、ステップＳ１０１において、高位エンティティ１５５は、ＶｏＩＰアプリケーション１５３において要求されるサービス品質（ＱｏＳ）をＭＩＨＦユーザ１５１に通知する。
【００８０】
ステップＳ１０２およびステップＳ１０３において、ＭＩＨＦユーザ１５１は、通知されたＱｏＳに対応する無線パラメータ（ＲＳＳＩやＳＮＲなど）の条件を設定する条件設定要求（Ｌｉｎｋ＿ｃｏｎｆｉｇｕｒｅ＿ｔｈｒｅｓｈｏｌｄ．ｒｅｑｕｅｓｔ）をＭＩＨＦ１３０経由でＥＶ−ＤＯリンク制御部１１５に通知する。これにより、要求されたＱｏＳの条件でハンドオーバの実施是非が判断されることになる。
【００８１】
ステップＳ１０４およびステップＳ１０５において、ＥＶ−ＤＯリンク制御部１１５は、条件の設定が完了したことを示すＬｉｎｋ＿Ｃｏｎｆｉｇｕｒｅ＿Ｔｈｒｅｓｈｏｌｄ．ｃｏｎｆｉｒｍをＭＩＨＦ１３０経由でＭＩＨＦユーザ１５１に通知する。
【００８２】
ステップＳ１０６において、ＥＶ−ＤＯリンク制御部１１５は、監視する無線リンクＬ１の無線パラメータが設定条件を満たすか否かを判定することで、ハンドオーバの実施是非を判断する。ここでは、ＥＶ−ＤＯリンク制御部１１５が監視する無線パラメータが設定条件を満たすものとする。すなわち、ステップＳ１０７以降では、ハンドオーバを実施すると判断した場合の動作を示している。
【００８３】
ステップＳ１０７およびステップＳ１０８において、ＥＶ−ＤＯリンク制御部１１５は、無線リンクＬ１の無線パラメータを示すＬｉｎｋ＿Ｐａｒａｍｅｔｅｒｓ＿Ｒｅｐｏｒｔ．ｉｎｄｉｃａｔｉｏｎをＭＩＨＦ１３０経由でＭＩＨＦユーザ１５１に通知する。
【００８４】
ステップＳ１０９において、ＭＩＨＦユーザ１５１は、ハンドオーバの準備（Ｉｎｉｔｉａｔｉｏｎ  Ａｃｔｉｏｎ）を要求するＭＩＨ＿Ｈａｎｄｏｖｅｒ＿Ｐｒｅｐａｒｅ．ｒｅｑｕｅｓｔをＭＩＨＦ１３０に通知する。ステップＳ１１０において、ＭＩＨＦ１３０は、無線リンクＬ２の設定を要求するＬｉｎｋ＿Ｕｐ．ｒｅｑｕｅｓｔをＷｉＭＡＸリンク制御部１１６に通知する。
【００８５】
ステップＳ１１１において、ＷｉＭＡＸリンク制御部１１６は、無線リンクＬ２を設定する。なお、この時点では新たなＩＰアドレスは取得されていないが、ＭＩＨＦ１３０と無線基地局ＰｏＡ２のＭＩＨＦ２３０とは無線リンクＬ２を介して通信できる状態になる。
【００８６】
ステップＳ１１２において、ＷｉＭＡＸリンク制御部１１６は、無線リンクＬ２を設定したことを示すＬｉｎｋ＿Ｕｐ．ｉｎｄｉｃａｔｉｏｎをＭＩＨＦ１３０に通知する。
【００８７】
ステップＳ１１３およびステップＳ１１４において、ＭＩＨＦ１３０は、ハンドオーバの準備（Ｉｎｉｔｉａｔｉｏｎ  Ａｃｔｉｏｎ）が完了したことを示すＭＩＨ＿Ｈａｎｄｏｖｅｒ＿Ｐｒｅｐａｒｅ．ｃｏｎｆｉｒｍをＭＩＨＦユーザ１５１経由で高位エンティティ１５５に通知する。
【００８８】
ステップＳ１１５において、ＭＩＨＦユーザ１５１は、通信品質（ここでは、全体通信品質）の測定を要求するＭＩＨ＿Ｌｉｎｋ＿ＱｏＳ＿Ｐａｒａｍｅｔｅｒｓ＿Ｍｅａｓｕｒｅ．ｒｅｑｕｅｓｔをＭＩＨＦ１３０に通知する。その際、ＭＩＨＦユーザ１５１は、通信相手装置ＣＮのＩＰアドレスを通知する。
【００８９】
ステップＳ１１６において、ＭＩＨＦ１３０は、通信品質の測定を開始したことを示すＭＩＨ＿Ｌｉｎｋ＿ＱｏＳ＿Ｐａｒａｍｅｔｅｒｓ＿Ｍｅａｓｕｒｅ.ＣｏｎｆｉｒｍをＭＩＨＦユーザ１５１に通知する。
【００９０】
ステップＳ１１７およびステップＳ１１９において、ＭＩＨＦ１３０と、無線基地局ＰｏＡ２のＭＩＨＦ２３０とは、通信品質の測定を要求するＬｉｎｋ＿ＱｏＳ＿Ｐａｒａｍｅｔｅｒｓ＿Ｍｅａｓｕｒｅ．ｒｅｑｕｅｓｔおよび通信品質の測定結果を示すＬｉｎｋ＿ＱｏＳ＿Ｐａｒａｍｅｔｅｒｓ＿Ｍｅａｓｕｒｅ．ｃｏｎｆｉｒｍを送受信する。
【００９１】
Ｌｉｎｋ＿ＱｏＳ＿Ｐａｒａｍｅｔｅｒｓ＿Ｍｅａｓｕｒｅ．ｒｅｑｕｅｓｔおよびＬｉｎｋ＿ＱｏＳ＿Ｐａｒａｍｅｔｅｒｓ＿Ｍｅａｓｕｒｅ．ｃｏｎｆｉｒｍには、ＭＩＨＦ１３０と、無線基地局ＰｏＡ２のＭＩＨＦ２３０とが付加したタイムスタンプが含まれる。ＭＩＨＦ１３０と、無線基地局ＰｏＡ２のＭＩＨＦ２３０とは、タイムスタンプに基づき無線通信品質を測定し、測定した無線通信品質を保存する。
【００９２】
ステップＳ１１８およびステップＳ１２０において、無線基地局ＰｏＡ２のＭＩＨＦ２３０と、通信相手装置ＣＮのＭＩＨＦ３３０とは、通信品質の測定を要求するＬｉｎｋ＿ＱｏＳ＿Ｐａｒａｍｅｔｅｒｓ＿Ｍｅａｓｕｒｅ．ｒｅｑｕｅｓｔおよび通信品質の測定結果を示すＬｉｎｋ＿ＱｏＳ＿Ｐａｒａｍｅｔｅｒｓ＿Ｍｅａｓｕｒｅ．ｃｏｎｆｉｒｍを送受信する。
【００９３】
Ｌｉｎｋ＿ＱｏＳ＿Ｐａｒａｍｅｔｅｒｓ＿Ｍｅａｓｕｒｅ．ｒｅｑｕｅｓｔおよびＬｉｎｋ＿ＱｏＳ＿Ｐａｒａｍｅｔｅｒｓ＿Ｍｅａｓｕｒｅ．ｃｏｎｆｉｒｍには、無線基地局ＰｏＡ２のＭＩＨＦ２３０および通信相手装置ＣＮのＭＩＨＦ３３０が付加したタイムスタンプが含まれる。無線基地局ＰｏＡ２のＭＩＨＦ２３０および通信相手装置ＣＮのＭＩＨＦ３３０は、タイムスタンプに基づきネットワーク通信品質を測定し、測定したネットワーク通信品質を保存する。
【００９４】
ステップＳ１２１において、通信相手装置ＣＮのＭＩＨＦ３３０は、ネットワーク通信品質の測定結果を示すＬｉｎｋ＿ＱｏＳ＿Ｐａｒａｍｅｔｅｒｓ＿Ｍｅａｓｕｒｅ＿Ｒｅｓｕｌｔ．ｉｎｄｉｃａｔｉｏｎを無線基地局ＰｏＡ２のＭＩＨＦ２３０に通知する。
【００９５】
ステップＳ１２２において、無線基地局ＰｏＡ２のＭＩＨＦ２３０は、ネットワーク通信品質の測定結果と、通信相手装置ＣＮのＭＩＨＦ３３０から通知されたネットワーク通信品質とを示すＬｉｎｋ＿ＱｏＳ＿Ｐａｒａｍｅｔｅｒｓ＿Ｍｅａｓｕｒｅ＿Ｒｅｓｕｌｔ．ｉｎｄｉｃａｔｉｏｎを無線端末１００のＭＩＨＦ１３０に通知する。
【００９６】
この結果、無線端末１００のＭＩＨＦ１３０は、測定した無線通信品質と、通知されたネットワーク通信品質とから、全体通信品質を判定することができる。
【００９７】
ステップＳ１２３において、無線端末１００のＭＩＨＦ１３０は、無線通信品質の測定結果を示すＬｉｎｋ＿ＱｏＳ＿Ｐａｒａｍｅｔｅｒｓ＿Ｍｅａｓｕｒｅ＿Ｒｅｓｕｌｔ．ｉｎｄｉｃａｔｉｏｎを無線基地局ＰｏＡ２のＭＩＨＦ２３０に通知する。
【００９８】
ステップＳ１２４において、無線基地局ＰｏＡ２のＭＩＨＦ２３０は、無線通信品質の測定結果と、無線端末１００のＭＩＨＦ１３０から通知された無線通信品質とを示すＬｉｎｋ＿ＱｏＳ＿Ｐａｒａｍｅｔｅｒｓ＿Ｍｅａｓｕｒｅ＿Ｒｅｓｕｌｔ．ｉｎｄｉｃａｔｉｏｎを通信相手装置ＣＮのＭＩＨＦ３３０に通知する。
【００９９】
これにより、通信相手装置ＣＮのＭＩＨＦ３３０は、測定したネットワーク通信品質と、通知された無線通信品質とから、全体通信品質を判定することができる。
【０１００】
ステップＳ１２５において、無線端末１００のＭＩＨＦ１３０は、通信品質の要求元である高位エンティティ１５５に対し、ＭＩＨＦユーザ１５１を介して、全体通信品質の測定結果を示すＭＩＨ＿Ｌｉｎｋ＿Ｐａｒａｍｅｔｅｒｓ＿Ｍｅａｓｕｒｅ＿Ｒｅｓｕｌｔ．ｉｎｄｉｃａｔｉｏｎを通知する。
【０１０１】
（４）メッセージの詳細
次に、図６〜図８を参照して、上述した各ＩＥＥＥ８０２．２１メッセージ（ＭＩＨ＿Ｌｉｎｋ＿ＱｏＳ＿Ｐａｒａｍｅｔｅｒｓ＿Ｍｅａｓｕｒｅ．ｒｅｑｕｅｓｔ、Ｌｉｎｋ＿ＱｏＳ＿Ｐａｒａｍｅｔｅｒｓ＿Ｍｅａｓｕｒｅ．ｒｅｑｕｅｓｔ、Ｌｉｎｋ＿ＱｏＳ＿Ｐａｒａｍｅｔｅｒｓ＿Ｍｅａｓｕｒｅ．ｃｏｎｆｉｒｍ、Ｌｉｎｋ＿ＱｏＳ＿Ｐａｒａｍｅｔｅｒｓ＿Ｍｅａｓｕｒｅ＿Ｒｅｓｕｌｔ．ｉｎｄｉｃａｔｉｏｎ、ＭＩＨ＿Ｌｉｎｋ＿Ｐａｒａｍｅｔｅｒｓ＿Ｍｅａｓｕｒｅ＿Ｒｅｓｕｌｔ．ｉｎｄｉｃａｔｉｏｎ）の詳細について説明する。
【０１０２】
図６は、ＭＩＨ＿Ｌｉｎｋ＿ＱｏＳ＿Ｐａｒａｍｅｔｅｒｓ＿Ｍｅａｓｕｒｅ．ｒｅｑｕｅｓｔの一例を示す図である。ＭＩＨ＿Ｌｉｎｋ＿ＱｏＳ＿Ｐａｒａｍｅｔｅｒｓ＿Ｍｅａｓｕｒｅ．ｒｅｑｕｅｓｔは、図５のステップＳ１１５において、ＭＩＨＦユーザ１５１からＭＩＨＦ１３０に通知される。
【０１０３】
図６の例では、ＭＩＨ＿Ｌｉｎｋ＿ＱｏＳ＿Ｐａｒａｍｅｔｅｒｓ＿Ｍｅａｓｕｒｅ．ｒｅｑｕｅｓｔは、無線基地局ＰｏＡ２のＭＩＨＦ２３０を識別する”DestinationIdentifier”と、通信相手装置ＣＮのＩＰアドレスである”Destination IP Address”とを含む。
【０１０４】
図７（ａ）は、Ｌｉｎｋ＿ＱｏＳ＿Ｐａｒａｍｅｔｅｒｓ＿Ｍｅａｓｕｒｅ．ｒｅｑｕｅｓｔの一例を示す図である。Ｌｉｎｋ＿ＱｏＳ＿Ｐａｒａｍｅｔｅｒｓ＿Ｍｅａｓｕｒｅ．ｒｅｑｕｅｓｔは、図５のステップＳ１１７〜Ｓ１２０において送受信される。
【０１０５】
図７（ａ）の例では、Ｌｉｎｋ＿ＱｏＳ＿Ｐａｒａｍｅｔｅｒｓ＿Ｍｅａｓｕｒｅ．ｒｅｑｕｅｓｔは、送信時刻を示すタイムスタンプである”Original Timestamp”と、受信時刻を示すタイムスタンプである” Receive Timestamp”と、転送時刻を示すタイムスタンプである”Transit Timestamp”とを含む。
【０１０６】
図７（ｂ）は、Ｌｉｎｋ＿ＱｏＳ＿Ｐａｒａｍｅｔｅｒｓ＿Ｍｅａｓｕｒｅ．ｃｏｎｆｉｒｍの一例を示す図である。Ｌｉｎｋ＿ＱｏＳ＿Ｐａｒａｍｅｔｅｒｓ＿Ｍｅａｓｕｒｅ．ｃｏｎｆｉｒｍは、図５のステップＳ１１７〜Ｓ１２０において送受信される。図７（ｂ）の例では、Ｌｉｎｋ＿ＱｏＳ＿Ｐａｒａｍｅｔｅｒｓ＿Ｍｅａｓｕｒｅ．ｃｏｎｆｉｒｍは、Ｌｉｎｋ＿ＱｏＳ＿Ｐａｒａｍｅｔｅｒｓ＿Ｍｅａｓｕｒｅ．ｒｅｑｕｅｓｔとほぼ同様のフォーマットである。
【０１０７】
図８（ａ）は、Ｌｉｎｋ＿ＱｏＳ＿Ｐａｒａｍｅｔｅｒｓ＿Ｍｅａｓｕｒｅ＿Ｒｅｓｕｌｔ．ｉｎｄｉｃａｔｉｏｎの一例を示す図である。Ｌｉｎｋ＿ＱｏＳ＿Ｐａｒａｍｅｔｅｒｓ＿Ｍｅａｓｕｒｅ＿Ｒｅｓｕｌｔ．ｉｎｄｉｃａｔｉｏｎは、図５のステップＳ１２１〜Ｓ１２４において送受信される。
【０１０８】
図８（ａ）の例では、Ｌｉｎｋ＿ＱｏＳ＿Ｐａｒａｍｅｔｅｒｓ＿Ｍｅａｓｕｒｅ＿Ｒｅｓｕｌｔ．ｉｎｄｉｃａｔｉｏｎは、無線通信品質またはネットワーク通信品質の測定結果のリストであるＬｉｎｋＱｏＳＰａｒａｍｅｔｅｒｓＭｅａｓｕｒｅｄＬｉｓｔを含む。ＬｉｎｋＱｏＳＰａｒａｍｅｔｅｒｓＭｅａｓｕｒｅｄＬｉｓｔは、図８（ｂ）に示すタイプに分類されている。図８（ｃ）に示すように、分類されたタイプ毎に、無線通信品質またはネットワーク通信品質の測定結果を示す値がリストされる。
【０１０９】
（５）作用・効果
以上説明したように、無線端末１００のメッセージ送受信部１３１は、ハンドオーバを実施すると判断された場合、ＩＰアドレス取得部１５２が新たなＩＰアドレス（ＣｏＡ）を取得する前において、ＩＥＥＥ８０２．２１メッセージを無線基地局ＰｏＡ２（ハンドオーバ先基地局）と送受信する。そして、品質測定部１３２は、メッセージ送受信部１３１が送受信するＩＥＥＥ８０２．２１メッセージを用いて無線通信品質を測定する。
【０１１０】
したがって、ハンドオーバ時において新たなＩＰアドレスが無線端末１００に割り当てられる場合であっても、新たなＩＰアドレスを取得する前の段階で無線通信品質を測定可能な無線端末１００を提供できる。
【０１１１】
特に、無線端末１００は、無線通信方式が異なる無線通信ネットワーク（ＥＶ−ＤＯネットワーク１、ＷｉＭＡＸネットワーク２）間でハンドオーバを実行する場合に、新たなＩＰアドレスを取得する前の段階で無線通信品質を測定することができる。
【０１１２】
本実施形態によれば、ＩＥＥＥ８０２．２１メッセージは、ＩＥＥＥ８０２．２１メッセージが送信された時刻である送信時刻またはＩＥＥＥ８０２．２１メッセージが受信された受信時刻の少なくとも一方の情報を含み、品質測定部１３２は、送信時刻と受信時刻との差分に基づいて無線通信品質を測定する。
【０１１３】
本実施形態によれば、無線端末１００のメッセージ送受信部１３１は、ネットワーク通信品質の測定を要求するＩＥＥＥ８０２．２１メッセージを無線基地局ＰｏＡ２に送信し、ネットワーク通信品質の測定結果を通知するＩＥＥＥ８０２．２１メッセージを無線基地局ＰｏＡ２から受信する。そして、無線端末１００の品質測定部１３２は、測定した無線通信品質と、無線基地局ＰｏＡ２から通知されたネットワーク通信品質とに基づいて、全体通信品質を判定する。
【０１１４】
したがって、新たなＩＰアドレスを取得する前の段階で、無線端末１００は、無線通信品質だけでなく、ネットワーク通信品質および全体通信品質も把握することができる。
【０１１５】
本実施形態によれば、無線端末１００のメッセージ送受信部１３１は、無線通信品質または全体通信品質の少なくとも一方を通知するＩＥＥＥ８０２．２１メッセージを無線基地局ＰｏＡ２に送信する。このため、無線通信品質または全体通信品質を無線基地局ＰｏＡ２と共有することができる。
【０１１６】
本実施形態によれば、メッセージ送受信部１３１は、ＷｉＭＡＸリンク制御部１１６による無線リンクＬ２の設定が完了すると、ＩＥＥＥ８０２．２１メッセージの送受信を開始する。すなわち、従来の方法ではＩＰ層ハンドオーバが完了するまで無線通信品質や全体通信品質が測定できないが、本実施形態では、リンク層ハンドオーバの課程で無線通信品質や全体通信品質を測定可能となる。
【０１１７】
なお、無線通信方式が異なる無線通信ネットワーク（ＥＶ−ＤＯネットワーク１、ＷｉＭＡＸネットワーク２）間でハンドオーバを実行する場合、ハンドオーバ前後で伝送遅延およびジッタが大きく変化するが、本実施形態では、リンク層ハンドオーバの段階で無線通信品質や全体通信品質を測定し、ジッタバッファのサイズを前もって適切に設定することができる。
【０１１８】
本実施形態によれば、無線基地局ＰｏＡ２のメッセージ送受信部２３１は、無線端末１００が新たなＩＰアドレス（ＣｏＡ）を取得する前において、ＩＥＥＥ８０２．２１メッセージを無線端末１００と送受信する。品質測定部２３２は、メッセージ送受信部２３１が送受信するＩＥＥＥ８０２．２１メッセージを用いて無線通信品質を測定する。
【０１１９】
したがって、ハンドオーバ時において新たなＩＰアドレスが無線端末１００に割り当てられる場合であっても、無線端末１００が新たなＩＰアドレスを取得する前の段階で無線通信品質を測定可能な無線基地局ＰｏＡ２を提供できる。
【０１２０】
本実施形態によれば、無線基地局ＰｏＡ２のメッセージ送受信部２３１は、品質測定部２３２によって測定された無線通信品質を通知するＩＥＥＥ８０２．２１メッセージを無線端末１００または通信相手装置ＣＮに送信する。このため、無線通信品質を無線端末１００または通信相手装置ＣＮと共有することができる。
【０１２１】
本実施形態によれば、無線基地局ＰｏＡ２のメッセージ送受信部２３１は、ネットワーク通信品質の測定を要求するＩＥＥＥ８０２．２１メッセージを無線端末１００から受信し、品質測定部２３２は、ネットワーク通信品質を測定する。メッセージ送受信部２３１は、ネットワーク通信品質の測定結果を通知するＩＥＥＥ８０２．２１メッセージを無線端末１００に送信する。このため、無線端末１００からの要求に応じてネットワーク通信品質を無線端末１００に通知することができる。
【０１２２】
[第２実施形態]
以下の第２実施形態および第３実施形態では、通信相手装置ＣＮやホームエージェントＨＡにＭＩＨＦが搭載されておらず、８０２．２１のフレームワークを通してネットワーク通信品質を測定できない場合について説明する。なお、以下の第２実施形態および第３実施形態では、第１実施形態と異なる点について説明し、重複する説明を省略する。
【０１２３】
図９は、第２実施形態に係る通信システムの動作を示すフローチャートである。図９に示すフローチャートでは、無線通信品質のみが測定されており、ネットワーク通信品質が測定されていない。
【０１２４】
具体的には、ステップＳ２１７およびステップＳ２１９において、無線端末１００のＭＩＨＦ１３０と、無線基地局ＰｏＡ２のＭＩＨＦ２３０とは、無線通信品質の測定を要求するＬｉｎｋ＿ＱｏＳ＿Ｐａｒａｍｅｔｅｒｓ＿Ｍｅａｓｕｒｅ．ｒｅｑｕｅｓｔおよび無線通信品質の測定結果を示すＬｉｎｋ＿ＱｏＳ＿Ｐａｒａｍｅｔｅｒｓ＿Ｍｅａｓｕｒｅ．ｃｏｎｆｉｒｍを送受信する。
【０１２５】
ステップＳ２２２において、無線端末１００のＭＩＨＦ１３０は、無線通信品質の測定結果を示すＬｉｎｋ＿ＱｏＳ＿Ｐａｒａｍｅｔｅｒｓ＿Ｍｅａｓｕｒｅ＿Ｒｅｓｕｌｔ．ｉｎｄｉｃａｔｉｏｎを無線基地局ＰｏＡ２のＭＩＨＦ２３０に通知する。
【０１２６】
ステップＳ２２３において、無線基地局ＰｏＡ２のＭＩＨＦ２３０は、無線通信品質の測定結果を示すＬｉｎｋ＿ＱｏＳ＿Ｐａｒａｍｅｔｅｒｓ＿Ｍｅａｓｕｒｅ＿Ｒｅｓｕｌｔ．ｉｎｄｉｃａｔｉｏｎを無線端末１００のＭＩＨＦ１３０に通知する。
【０１２７】
このように、無線基地局ＰｏＡ２と通信相手装置ＣＮとの間は有線区間であり、伝送遅延およびジッタが小さい。一方、無線端末１００および無線基地局ＰｏＡ２の間は無線区間であり、伝送遅延およびジッタが大きい。
【０１２８】
つまり、無線端末１００と通信相手装置ＣＮとの間において、無線端末１００と無線基地局ＰｏＡ２との間の伝送遅延およびジッタが支配的である。このため、無線端末１００と無線基地局ＰｏＡ２との間の伝送遅延およびジッタ（無線通信品質）のみを測定し、無線基地局ＰｏＡ２と通信相手装置ＣＮとの間のネットワーク通信品質の測定を省略可能である。
【０１２９】
あるいは、ネットワーク通信品質を無線基地局ＰｏＡ２が予め記憶させておく構成でもよい。具体的には、無線基地局ＰｏＡ２は、図４に示した記憶部２６０にネットワーク通信品質を通信相手装置毎またはホームエージェント毎に蓄積し、蓄積したネットワーク通信品質を再利用する。また、無線基地局ＰｏＡ２のメッセージ送受信部２３１は、ネットワーク通信品質の送信を要求するＩＥＥＥ８０２．２１メッセージを無線端末１００から受信した場合、記憶部２６０に予め記憶されているネットワーク通信品質をＩＥＥＥ８０２．２１メッセージを用いて通知する。
【０１３０】
[第３実施形態]
第３実施形態では、８０２．２１のフレームワークを通してネットワーク通信品質を測定できない場合に、ＩＰパケットの１種であるＩＣＭＰパケットを用いてネットワーク通信品質が測定される。図１０は、第３実施形態に係る通信システムの動作を示すフローチャートである。
【０１３１】
ステップＳ３１７において無線端末１００のＭＩＨＦ１３０からネットワーク通信品質の測定要求を受けた無線基地局ＰｏＡ２のＭＩＨＦ２３０は、無線基地局ＰｏＡ２のＭＩＨユーザ２５１に対して通信相手装置ＣＮとの間でネットワーク通信品質の測定を行なうことを要求し、通信相手装置ＣＮのＭＩＨＦ３３０に対して無線基地局ＰｏＡ２との間でネットワーク通信品質を測定することを要求する（ステップＳ３１８）。
【０１３２】
測定要求を受けた通信相手装置ＣＮのＭＩＨＦ３３０は、通信相手装置ＣＮのＭＩＨユーザ３５１に対して無線基地局ＰｏＡ２との間でネットワーク通信品質の測定を行なうことを要求する。
【０１３３】
ステップＳ３１９およびステップＳ３２１において、無線基地局ＰｏＡ２のＭＩＨユーザ２５１と、通信相手装置ＣＮのＭＩＨユーザ３５１との間で、ＩＣＭＰパケットが送受信される。具体的には、タイムスタンプを含んだICMP  Time Stamp Request/Replyを使って伝送遅延およびジッタの測定が行われる。測定結果は、ＭＩＨユーザからＭＩＨＦに伝達される。
【０１３４】
このように、第３実施形態によれば、８０２．２１のフレームワークを通してネットワーク通信品質を測定できない場合であっても、ネットワーク通信品質を測定可能となる。
【０１３５】
[その他の実施形態]
上記のように、本発明は実施形態によって記載したが、この開示の一部をなす論述および図面はこの発明を限定するものであると理解すべきではない。この開示から当業者には様々な代替実施形態、実施例および運用技術が明らかとなる。
【０１３６】
上述した実施形態では、ネットワーク通信品質は、無線基地局ＰｏＡ２と通信相手装置ＣＮとの間の通信品質であったが、無線基地局ＰｏＡ２とホームエージェントＨＡとの間の通信品質をネットワーク通信品質としてもよい。例えば、第３実施形態において、通信相手装置ＣＮがＩＣＭＰパケットをフィルタリングしている場合は、無線基地局ＰｏＡ２と通信相手装置ＣＮとの間の通信品質を測定できない。このため、無線基地局ＰｏＡ２とホームエージェントＨＡとの間の通信品質をネットワーク通信品質として代用することができる。この場合、無線端末１００のＭＩＨＦユーザ１５１は、ホームエージェントＨＡのＩＰ  ＡｄｄｒｅｓｓをＭＩＨＦ１３０に通知する。
【０１３７】
上述した実施形態では、ＥＶ−ＤＯネットワーク１とＷｉＭＡＸネットワーク２との間で実行されるハンドオーバについて説明したが、無線通信方式が異なる無線通信ネットワーク間のハンドオーバであれば、組み合わせは何でも良い。
【０１３８】
さらに、無線通信方式が異なる無線通信ネットワーク間のハンドオーバに限らず、同一無線通信ネットワーク内でのサブネットワーク間のハンドオーバなどにおいても新たなＩＰアドレスが割り当てられることがある。このため、同一無線通信ネットワーク内でのハンドオーバに対しても本発明を適用可能である。
【０１３９】
このように本発明は、ここでは記載していない様々な実施形態等を包含するということを理解すべきである。したがって、本発明はこの開示から妥当な特許請求の範囲の発明特定事項によってのみ限定されるものである。
【図面の簡単な説明】
【０１４０】
【図１】本発明の第１実施形態に係る通信システムの全体構成図である。
【図２】本発明の第１実施形態に係る無線端末、無線基地局および通信相手装置の概略構成図である。
【図３】本発明の第１実施形態に係る無線端末の詳細構成を示すブロック図である。
【図４】本発明の第１実施形態に係る無線基地局の詳細構成を示すブロック図である。
【図５】本発明の第１実施形態に係る通信システムの詳細動作例を示すシーケンス図である。
【図６】本発明の第１実施形態に係るＭＩＨ＿Ｌｉｎｋ＿ＱｏＳ＿Ｐａｒａｍｅｔｅｒｓ＿Ｍｅａｓｕｒｅ．ｒｅｑｕｅｓｔの一例を示す図である。
【図７】本発明の第１実施形態に係るＬｉｎｋ＿ＱｏＳ＿Ｐａｒａｍｅｔｅｒｓ＿Ｍｅａｓｕｒｅ．ｒｅｑｕｅｓｔおよびＬｉｎｋ＿ＱｏＳ＿Ｐａｒａｍｅｔｅｒｓ＿Ｍｅａｓｕｒｅ．ｃｏｎｆｉｒｍの一例を示す図である。
【図８】本発明の第１実施形態に係るＬｉｎｋ＿ＱｏＳ＿Ｐａｒａｍｅｔｅｒｓ＿Ｍｅａｓｕｒｅ＿Ｒｅｓｕｌｔ．ｉｎｄｉｃａｔｉｏｎの一例を示す図である。
【図９】本発明の第２実施形態に係る通信システムの詳細動作例を示すシーケンス図である。
【図１０】本発明の第３実施形態に係る通信システムの詳細動作例を示すシーケンス図である。
【符号の説明】
【０１４１】
ＣＮ…通信相手装置、ＨＡ…ホームエージェント、ＰｏＡ１，ＰｏＡ２…無線基地局、１…ＥＶ−ＤＯネットワーク、２…ＷｉＭＡＸネットワーク、３…インターネット、１０…通信システム、５１，５２…ゲートウェイ、５３…ＮＴＰサーバ、１００…無線端末、１１０…制御部、１１１…ＥＶ−ＤＯ無線通信部、１１２…ＷｉＭＡＸ無線通信部、１１５…ＥＶ−ＤＯリンク制御部、１１６…ＷｉＭＡＸリンク制御部、１３０…ＭＩＨＦ、１３１…メッセージ送受信部、１３２…品質測定部、１５０…高位レイヤ、１５１…ＭＩＨＦユーザ、１５２…ＩＰアドレス取得部、１５３…ＶｏＩＰアプリケーション、１５５…高位エンティティ、１６０…記憶部、１７１…スピーカ、１７２…マイクロフォン、１７３…表示部、１７４…操作部、２１０…制御部、２１１…無線通信部、２１５…リンク制御部、２３０…ＭＩＨＦ、２３１…メッセージ送受信部、２３２…品質測定部、２５１…ＭＩＨユーザ、２６０…記憶部、２７０…有線通信Ｉ／Ｆ部、３３０…ＭＩＨＦ、３５１…ＭＩＨユーザ
【図１】
2010004385.tif 000003
【図２】
2010004385.tif 000004
【図３】
2010004385.tif 000005
【図４】
2010004385.tif 000006
【図５】
2010004385.tif 000007
【図６】
2010004385.tif 000008
【図７】
2010004385.tif 000009
【図８】
2010004385.tif 000010
【図９】
2010004385.tif 000011
【図１０】
2010004385.tif 000012